(57)【要約】【課題】  本発明は、医師が一件の質問により多数の医薬関連品メーカから医薬関連品情報を効率的に収集することができる。【解決手段】  医師側パソコン１および複数のメーカ側パソコン２とサーバ３とがネットワークを介して通信可能な状態で接続されている。医師が医師側パソコン１から１件の質問をすると、サーバ３が質問情報に基づいて質問リストを作成し、不特定多数の各メーカ側パソコン２の閲覧に供する。質問リストを閲覧した各メーカが一ないし複数の質問情報を選択して回答をすると、回答の医薬関連品情報が各メーカ側パソコン２からサーバ３を介して医師側パソコン１に送信される。これにより医師が一件の質問により多数の医薬関連品メーカから医薬関連品情報を効率的に収集することができる。【選択図】      図１
2006195927.tif 000002
【特許請求の範囲】
【請求項１】
医師側の情報端末装置と、複数の医薬関連品メーカ側の情報端末装置と、サーバコンピュータとがネットワークを介して通信可能な状態で接続され、各医薬関連品メーカ側が有する多くの医薬関連品に関する情報を医師側に提供するための医薬関連品情報提供システムであって、
前記サーバコンピュータは、医師側の情報端末装置からの要求に応じて、質問入力画面を医師側の情報端末装置にネットワークを介して送信する質問入力画面送信手段と、
該質問入力画面において入力された質問情報を医師側の情報端末装置からネットワークを介して受信する質問情報受信手段と、
該質問情報受信手段により受信された質問情報に基づいて質問リストを作成する質問リスト作成手段と、
各医薬関連品メーカ側の情報端末装置の要求に応じて、前記質問リスト作成手段により作成された質問リストを各医薬関連品メーカ側の情報端末装置にネットワークを介して送信する質問リスト送信手段と、
質問リストを受信した各医薬関連品メーカ側の情報端末装置の要求に応じて、前記質問リスト中の一ないし複数の質問情報に対応する回答入力画面を各医薬関連品メーカ側の情報端末装置にネットワークを介して送信する回答入力画面送信手段と、
該回答入力画面において入力された回答の医薬関連品情報を各医薬関連品メーカ側の情報端末装置からネットワークを介して受信する医薬関連品情報受信手段と、
該医薬関連品情報受信手段により受信された各医薬関連品メーカの医薬関連品情報を当該質問を行った医師側の情報端末装置にネットワークを介して送信する医薬関連品情報送信手段とを備えることを特徴とする医薬関連品情報提供システム。
【請求項２】
前記サーバコンピュータは、前記質問情報受信手段により受信された質問情報をデータベースとして記憶する質問情報記憶手段と、前記医薬関連品情報受信手段により受信された医薬関連品情報をデータベースとして記憶する医薬関連品情報記憶手段とを備える請求項１に記載の医薬関連品情報提供システム。
【請求項３】
前記サーバコンピュータは、医師側の診療科目、出身医局、診療地域、年齢などの医師に関する情報を記憶する医師情報記憶手段と、医薬関連品メーカ側の会社名、担当者名、所属部署、アピールポイントなどの各医薬関連品メーカに関する情報を記憶するメーカ情報記憶手段とを備える請求項１または請求項２に記載の医薬関連品情報提供システム。
【請求項４】
前記サーバコンピュータは、前記医薬関連品情報送信手段が医薬関連品情報を医師側の情報端末装置にネットワークを介して送信するに際して、医薬関連品メーカ側のバナー広告も併せて送信するものとなされている請求項１ないし請求項３のいずれかに記載の医薬関連品情報提供システム。 
【発明の詳細な説明】
【技術分野】
【０００１】
本発明は、各医薬関連品メーカ側が有する多くの医薬関連品に関する情報を医師側に提供するための医薬関連品情報提供システムに関する。
【背景技術】
【０００２】
従来、医師が医薬品や医療器具などの医薬関連品に関する情報（以下、医薬関連品情報という）を入手する場合、ＭＲ（Medical Representative：医薬関連品情報提供担当者）に質問することが多かった。つまり、ＭＲは営業活動の一環として、担当のエリア内にいる医師を訪問し、その訪問の際に医師と色々な話をし、医師から投げかけられた質問に対して、回答を与えていた。また、ＭＲが即座に回答できない場合には、自社の学術部に訪問若しくは電話により回答を得て、その回答を医師に訪問若しくは電話により回答を与えていた。あるいは、医師が医薬メーカの学術部に直接電話して、回答を得ることもあった。
【０００３】
このようなＭＲを支援するツールとして、医薬品の売上情報と、病院等に関する個別情報と、ＭＲのディテール情報を有し、上記情報のうち、少なくとも２つを相互に参照できるように配置するシステムが知られている（特許文献１参照）
【特許文献１】特開２００２−１６３４４３号公報
【発明の開示】
【発明が解決しようとする課題】
【０００４】
しかしながら、従来の医薬関連品情報の提供方法では下記のような多くの問題があり、上記支援ツールを利用したとしても下記問題を解消するものではなかった。
【０００５】
第１に、ＭＲは営業マンであるから、会社から課せられた営業品目の宣伝を一方的に医師に行うだけの存在であり、医師からの疑問を拾い答えていく風潮はなく、本来の医薬関連品情報提供担当者としての体はなしていなかった。また、医薬関連品メーカ側から見ても、営業品目を売ってこそＭＲであり、医師の疑問解決のためのＭＲではなかった。このことは顧客である医師の満足を無視しており、企業イメージの低下にもつながり、医薬品の売上の伸び悩みにもつながっていた。
【０００６】
第２に、ＭＲは数多くいるわけでなく、担当エリアだからといって、すべての医師を訪問していたわけではなかった。このため、ＭＲの顔さえ見たことがなく、医薬関連品情報について質問する機会がない医師さえ存在する。このような医師は十分な医薬関連品情報を得られないまま医薬を使用することに躊躇することとなり、医薬品の売上の伸び悩みにつながっていた。
【０００７】
第３に、医薬関連品メーカによってはＭＲが存在しない会社、またはＭＲが存在してもごく小数の会社の場合、医師へのＰＲができないために医薬品の認識が弱く、良い医薬品であっても医師が使用することができない場合があった。このため、同一効能の医薬品であっても、多数のＭＲを有する医薬関連品メーカの方が売上が多かった。このことは特に後発品（ジェネリック医薬品等）を扱う医薬関連品メーカにおいて顕著であり、先発品よりも低価格・同一品質という決定的なメリットがありながら、売上の伸び悩みにつながっていた。
【０００８】
第４に、医薬関連品メーカの営業所すら存在しない地方の診療所の場合、ＭＲが訪問することもなく、医薬品情報に地域格差が生じていた。この医療というサービスでは地域格差はあってはならないことでありながら、当然のものとして今日に至っている。患者にとっては、大都市まで行かないと、手術どころか、納得のいく服薬すらできない状態であった。
【０００９】
第５に、ＭＲや医薬関連品メーカに電話で直接問い合わせていたのでは、多くの医薬関連品情報を即座に入手することは難しかった。このため、実際の診療中に起こった疑問を解決するためには、診療が終わってからしか解決できず、実地診療に役立つものでなかった。
【００１０】
第６に、一つの診療上の疑問を解決するのに、医師がアクセスした医薬関連品メーカからの回答しか得られなかった。多くの医薬関連品情報を収集しようとすると、連絡先がわかる医薬関連品メーカに片っ端から電話をかけ、一つ一つ医薬関連品情報を入手しなければならず、非常に時間と手間をかけるものであった。そのため、多くの会社から多くの情報を一度にかつ即座に収集することはほぼ不可能であった。
【００１１】
第７に、ＭＲの給料は非常に高く、また経験豊富なＭＲを即座に揃えることが難しかった。会社の規模が小さければ小さいほどその傾向が強く、会社の規模が小さくてＭＲが少ない会社がＭＲの多い会社に対抗することは非常に困難であった。
【００１２】
第８に、医薬関連品メーカから医薬関連品情報を得るためには名乗る必要があるが、医師という社会的立場から見て、名前を名乗って医薬の知識を他から得るのは恥ずかしいことであり、質問は容易でなかった。
【００１３】
本発明は、上述の問題に鑑みてなされたものであって、医師が一件の質問により多数の医薬関連品メーカから医薬関連品情報を効率的に収集することができる医薬関連品情報提供システムの提供を課題とする。
【課題を解決するための手段】
【００１４】
本発明は、上記課題を解決するために、複数の医師側の情報端末装置と、複数の医薬関連品メーカ側の情報端末装置と、サーバコンピュータとがネットワークを介して通信可能な状態で接続され、各医薬関連品メーカ側が有する多くの医薬関連品に関する情報を医師側に提供するための医薬関連品情報提供システムであって、
前記サーバコンピュータは、医師側の情報端末装置からの要求に応じて、質問入力画面を医師側の情報端末装置にネットワークを介して送信する質問入力画面送信手段と、
該質問入力画面において入力された質問情報を医師側の情報端末装置からネットワークを介して受信する質問情報受信手段と、該質問情報受信手段により受信された質問情報に基づいて質問リストを作成する質問リスト作成手段と、各医薬関連品メーカ側の情報端末装置の要求に応じて、前記質問リスト作成手段により作成された質問リストを各医薬関連品メーカ側の情報端末装置にネットワークを介して送信する質問リスト送信手段と、質問リストを受信した各医薬関連品メーカ側の情報端末装置の要求に応じて、前記質問リスト中の一ないし複数の質問情報に対応する回答入力画面を各医薬関連品メーカ側の情報端末装置にネットワークを介して送信する回答入力画面送信手段と、該回答入力画面において入力された回答の医薬関連品情報を各医薬関連品メーカ側の情報端末装置からネットワークを介して受信する医薬関連品情報受信手段と、該医薬関連品情報受信手段により受信された各医薬関連品メーカの医薬関連品情報を当該質問を行った医師側の情報端末装置にネットワークを介して送信する医薬関連品情報送信手段とを備えることを特徴とする。なお、医薬関連品メーカとは、いわゆる製薬メーカだけでなく、医療器具メーカなども含まれるものとする。また、医薬関連品とは、医薬品や医療器具などのことをいうものとする。
【００１５】
これによれば、医師が医薬関連品に関して医薬関連品メーカに質問したい場合、本システムのサーバに質問情報を送信すれば、サーバにおいて各医師の質問情報に基づいて質問リストが作成され、不特定多数の各医薬関連品メーカの閲覧に供せしめることができる。そして、各医薬関連品メーカは当該質問リストを閲覧し、回答を希望する一ないし複数の質問情報を選択して回答することができる。このため、医師が一件の質問により多数の医薬関連品メーカから医薬関連品情報を効率的に収集することができる。
【００１６】
また、前記サーバコンピュータは、前記質問情報受信手段により受信された質問情報をデータベースとして記憶する質問情報記憶手段と、前記医薬関連品情報受信手段により受信された医薬関連品情報をデータベースとして記憶する医薬関連品情報記憶手段とを備えるのが好ましい。これによれば、各医師が質問した過去の質問情報や、各医薬関連品メーカが回答した過去の医薬関連品情報をデータベースとして保存することができる。
【００１７】
また、前記サーバコンピュータは、医師の診療科目、出身医局、診療地域、年齢などの医師に関する情報を記憶する医師情報記憶手段と、医薬関連品メーカに関する情報を記憶するメーカ情報記憶手段とを備えるのが好ましい。これによれば、本システムを利用する各医師と各医薬関連品メーカに関する情報を保存することができる。
【００１８】
また、前記サーバコンピュータは、前記医薬関連品情報送信手段が医薬関連品情報を医師側の情報端末装置にネットワークを介して送信するに際して、医薬関連品メーカのバナー広告も併せて送信するものとなされているのが好ましい。これによれば、ただ質問に回答するだけではなく、新たな営業活動も付加して行うことができ、より一層効率的な営業活動が可能となる。
【発明の効果】
【００１９】
本発明によれば、医師が医薬関連品に関して医薬関連品メーカに質問したい場合、本システムのサーバに質問情報を送信すれば、サーバにおいて各医師の質問情報に基づいて質問リストが作成され、不特定多数の各医薬関連品メーカの閲覧に供せしめることができる。そして、各医薬関連品メーカは当該質問リストを閲覧し、回答を希望する一ないし複数の質問情報を選択して回答することができる。このため、医師が一件の質問により多数の医薬関連品メーカから医薬関連品情報を効率的に収集することができる。
【００２０】
具体的には、医師が一件の質問を本システムに出すことにより、登録された多数の医薬関連品メーカから即座に医薬関連品情報の回答を収集することができる。このため、医師は今まで以上に論拠に基づいた正確な投薬を患者に対して行うことが可能となる。
【００２１】
また、インターネットなどのネットワークを利用するため、へき地の医師も都市部の医師同様に最新の医薬関連品情報を即座に入手することができ、患者の立場から見ても、最新の情報に基づいた投薬をへき地で受けることが可能となる。
【００２２】
また、本システム上で医薬関連品情報提供活動を行うため、実際に医師に訪問する手間が省け、医薬関連品メーカは非常に少ない人員とコストで日本全国の医師に対して的確な医薬関連品情報を提供することができ、より効率的な営業活動が可能となる。
【００２３】
また、医薬関連品メーカが医薬関連品情報を回答するに際して広告を添付するものとすれば、ただ質問に回答するだけではなく、新たな営業活動も付加して行うことができ、より一層効率的な営業活動が可能となる。
【００２４】
また、医薬関連品メーカは例えばパソコンの前に担当者が１人いれば、２４時間、しかも全国に対して医薬関連品情報の提供活動を行うことができ、夜間の救急患者に対する薬物治療をより確実なものとし、救命率の向上に画期的役割を果たすことが可能となる。
【発明を実施するための最良の形態】
【００２５】
次に本発明の一実施形態について説明する。
【００２６】
図１は本実施形態に係る医薬関連品情報提供システムの構成概略図である。
【００２７】
図１において、（１）は医師が利用する情報端末装置（以下、医師側パソコンという）、（２）は各医薬関連品メーカが利用する情報端末装置（以下、メーカ側パソコンという）、（３）は本システムの中核をなすサーバコンピュータ（以下、サーバという）であり、医師側パソコン（１）および各メーカ側パソコン（２）とサーバ（３）とはネットワークを介して通信可能な状態で接続されている。
【００２８】
なお、ネットワークは、例えばＴＣＰ／ＩＰプロトコルのインターネットといった通信網であるが、医師側パソコン（１）およびメーカ側パソコン（２）とサーバ（３）とを相互に接続可能なものであればどのようなネットワークでも適用可能である。また、本実施形態では、説明の便宜上、医師側パソコン（１）は１台としているが、複数台存在してもよい。
【００２９】
図２は、図１のサーバ（３）のハードウェア構成図である。
【００３０】
本サーバ（３）は、各部を統括的に制御する制御部（３１）と、医師側パソコン（１）およびメーカ側パソコン（２）との間における各種情報の送受信を行う通信部（３２）と、各医師に関する情報（以下、医師情報という）を記憶する医師情報記憶部（３３）と、各医薬関連品メーカに関する情報（以下、メーカ情報という）を記憶するメーカ情報記憶部（３４）と、医師からの質問情報を記憶する質問情報記憶部（３５）と、医薬関連品メーカからの回答の医薬関連品情報を記憶する医薬関連品情報記憶部（３６）とを備える。
【００３１】
前記制御部（３１）は、サーバ（３）内の各部を統括的に制御するほか、図５〜図１６に示すような各種画面を図示略のメモリに記憶しておき、それらの画面を医師側パソコン（１）およびメーカ側パソコン（２）との間で送受信することを制御する。特に、前記制御部（３１）は、医師側パソコン（１）からネットワークを介して送信されてきた質問情報に基づいて、例えば図１３に示すような質問リストを作成する質問リスト作成手段としての機能を有する。
【００３２】
前記通信部（３２）は、医師側パソコン（１）からの要求に応じて、質問入力画面を医師側パソコン（１）にネットワークを介して送信する質問入力画面送信手段と、該質問入力画面において入力された質問情報を医師側パソコン（１）からネットワークを介して受信する質問情報受信手段としての機能を有する。また、各メーカ側パソコン（２）の要求に応じて、前記制御部（３１）の質問リスト作成手段により作成された質問リストを各メーカ側パソコン（２）にネットワークを介して送信する質問リスト送信手段と、質問リストを受信した各メーカ側パソコン（２）の要求に応じて、前記質問リスト中の一ないし複数の質問情報に対応する回答入力画面を各メーカ側パソコン（２）にネットワークを介して送信する回答入力画面送信手段と、該回答入力画面において入力された回答の医薬関連品情報を各メーカ側パソコン（２）からネットワークを介して受信する医薬関連品情報受信手段と、該医薬関連品情報受信手段により受信された各医薬関連品メーカの医薬関連品情報を当該質問を行った医師側パソコン（１）にネットワークを介して送信する医薬関連品情報送信手段としての機能を有する。
【００３３】
前記医師情報記憶部（３３）は、図７に示すように、本システムを利用する各医師の診療科目、出身医局、診療地域、年齢などの医師情報をデータベースとして記憶するものである。この医師情報の登録にあたっては、医師側パソコン（１）からの要求に応じて制御部（３１）が図６に示すユーザ登録画面をネットワークを介して医師側パソコン（１）に送信し、該ユーザ登録画面において医師により入力されたあと、それをネットワークを介して通信部（３２）により受信し、医師情報記憶部（３３）に記憶せしめる。
【００３４】
前記メーカ情報記憶部（３４）は、本システムを利用する各医薬関連品メーカの会社名、担当者名、所属部署、アピールポイントなどのメーカ情報をデータベースとして記憶するものである。このメーカ情報の登録にあたっては、各メーカ側パソコン（２）からの要求に応じて、制御部（３１）が図１０に示すユーザ登録画面をネットワークを介して各メーカ側パソコン（２）に送信し、該ユーザ登録画面においてメーカ側により入力されたあと、それをネットワークを介して通信部（３２）により受信し、メーカ情報記憶部（３４）に記憶せしめる。
【００３５】
前記質問情報記憶部（３５）は、各医師が医薬品について質問した事項（質問情報）をデータベースとして記憶するものである。この質問情報のアップロードにあたっては、医師側パソコン（１）からの要求に応じて、制御部（３１）が図１１に示す質問入力画面をネットワークを介して医師側パソコン（１）に送信し、該質問入力画面において医師により入力されたあと、それをネットワークを介して通信部（３２）により受信し、質問情報記憶部（３５）に記憶せしめる。
【００３６】
前記医薬関連品情報記憶部（３６）は、各医薬関連品メーカが医師の質問に対して回答した医薬関連品情報をデータベースとして記憶するものである。この医薬関連品情報のアップロードにあたっては、各メーカ側パソコン（２）からの要求に応じて、制御部（３１）が回答入力画面をネットワークを介してメーカ側パソコン（２）に送信し、図１４に示すように該回答入力画面においてメーカ側により入力されたあと、それをネットワークを介して通信部（３２）により受信し、医薬関連品情報記憶部（３６）に記憶せしめる。
【００３７】
次に本システムの動作について図３および図４に示すフローチャートを用いて説明する。なお、以下の説明および図面において、「ＳＴＥＰ」を「Ｓ」と略記することとする。
【００３８】
［医師側のユーザ登録の流れ］
まず、図３に示すように、医師側パソコン（１）がサーバ（３）にアクセスしてメインメニュー画面を要求すると（Ｓ１）、サーバ（３）の制御部（３１）は通信部（３２）を制御して図５に示すメインメニュー画面を医師側パソコン（１）にネットワークを介して送信する（Ｓ２）。
【００３９】
そして、メインメニューにおいて医師により「ユーザ登録・変更」ボタンがクリックされ、医師側パソコン（１）からサーバ（３）に対してユーザ登録画面を要求すると（Ｓ３）、サーバ（３）の制御部（３１）は通信部（３２）を制御して図６に示すユーザ登録画面を医師側パソコン（１）にネットワークを介して送信する（Ｓ４）。なお、ユーザ登録画面を送信するに際して、サーバ（３）から医師側パソコン（１）に対してＩＤやパスワードの入力を要求するのが好ましい。
【００４０】
そして、ユーザ登録画面において医師により各種医師情報が入力され、医師側パソコン（１）からサーバ（３）に対して医師情報を送信すると（Ｓ５）、サーバ（３）の通信部（３２）は医師情報を受信し、制御部（３１）が当該医師情報を例えば図７に示すようなデータベースとして医師情報記憶部（３３）に記憶せしめる（Ｓ６）。あとは、サーバ（３）の制御部（３１）は通信部（３２）を制御して図８（ａ）に示す登録完了メールを医師側パソコン（１）にネットワークを介して送信する（Ｓ７）。
【００４１】
［各医薬関連品メーカ側のユーザ登録の流れ］
まず、図３に示すように、各医薬関連品メーカのメーカ側パソコン（２）がサーバ（３）にアクセスしてメインメニュー画面を要求すると（Ｓ１）、サーバ（３）の制御部（３１）は通信部（３２）を制御して図９に示すメインメニュー画面を各メーカ側パソコン（２）にネットワークを介して送信する（Ｓ２）。
【００４２】
そして、メインメニューにおいてメーカにより「ユーザ登録・変更」ボタンがクリックされ、メーカ側パソコン（２）からサーバ（３）に対してユーザ登録画面を要求すると（Ｓ３）、サーバ（３）の制御部（３１）は通信部（３２）を制御して図１０に示すユーザ登録画面を各メーカ側パソコン（２）にネットワークを介して送信する（Ｓ４）。なお、ユーザ登録画面を送信するに際して、サーバ（３）から各メーカ側パソコン（２）に対してＩＤやパスワードの入力を要求するのが好ましい。
【００４３】
そして、ユーザ登録画面においてメーカにより各種メーカ情報が入力され、各メーカ側パソコン（２）からサーバ（３）に対してメーカ情報を送信すると（Ｓ５）、サーバ（３）の通信部（３２）はメーカ情報を受信し、制御部（３１）が当該メーカ情報をデータベースとしてメーカ情報記憶部（３４）に記憶せしめる（Ｓ６）。あとは、サーバ（３）の制御部（３１）は通信部（３２）を制御して図８（ｂ）に示す登録完了メールを各メーカ側パソコン（２）にネットワークを介して送信する（Ｓ７）。
【００４４】
［質問および回答の流れ］
まず、図４に示すように、医師側パソコン（１）がサーバ（３）にアクセスしてメインメニュー画面を要求すると（Ｓ１１）、サーバ（３）の制御部（３１）は通信部（３２）を制御して図５に示すメインメニュー画面を医師側パソコン（１）にネットワークを介して送信する（Ｓ１２）。このとき医師が本システムを利用できる者であるか否かを判断するために、サーバ（３）から医師側パソコン（１）に対してＩＤやパスワードを要求して照合するのが好ましい。
【００４５】
そして、メインメニュー画面において医師により「質問を作成する」ボタンがクリックされ、医師側パソコン（１）からサーバ（３）に対して質問入力画面を要求すると（Ｓ１３）、サーバ（３）の制御部（３１）は通信部（３２）を制御して図１１に示す質問入力画面を医師側パソコン（１）にネットワークを介して送信する（Ｓ１４）。
【００４６】
そして、質問入力画面において医師により質問等が入力され、医師側パソコン（１）からサーバ（３）に対して質問情報が送信されると（Ｓ１５）、サーバ（３）の通信部（３２）が質問情報を受信したあと、制御部（３１）が質問情報を質問情報記憶部（３５）に記憶せしめる（Ｓ１６）。このとき、制御部（３１）は、図１２に示すような質問受付完了メールを医師側パソコン（１）に送信し、医師側パソコン（１）において質問受付の完了が確認できるようにするのが好ましい。また、この質問受付完了メールにバナー広告を含めるものとすれば、ただ質問に回答するだけではなく、新たな営業活動も付加して行うことができ、より一層効率的な営業活動が可能となる。
【００４７】
一方、各メーカ側パソコン（２）がサーバ（３）にアクセスしてメインメニュー画面を要求すると（Ｓ１７）、サーバ（３）の制御部（３１）は通信部（３２）を制御して図９に示すメインメニュー画面を各メーカ側パソコン（２）にネットワークを介して送信する（Ｓ１８）。このとき各医薬関連品メーカが本システムを利用できる者であるか否かを判断するために、サーバ（３）から各メーカ側パソコン（２）に対してＩＤやパスワードを要求して照合するのが好ましい。
【００４８】
そして、メインメニュー画面においてメーカ側により「質問リストを見る」ボタンがクリックされ、メーカ側パソコン（２）からサーバ（３）に対して質問リストを要求すると（Ｓ１９）、サーバ（３）の制御部（３１）は通信部（３２）を制御して図１３に示す質問リストを各メーカ側パソコン（２）にネットワークを介して送信し（Ｓ２０）、メーカ側パソコン（２）に質問リストの画面が表示される。なお、この質問リストは、制御部（３１）の質問リスト作成手段において、医師側パソコン（１）からネットワークを介して送信されてきた質問情報に基づいて作成されたものである。
【００４９】
そして、質問リスト画面において各医薬関連品メーカ側により回答を希望する質問の「回答する」ボタンがクリックされ、各メーカ側パソコン（２）からサーバ（３）に対して回答入力画面を要求されると（Ｓ２１）、サーバ（３）の制御部（３１）は通信部（３２）を制御して図１４に示す回答入力画面を各メーカ側パソコン（２）にネットワークを介して送信し（Ｓ２２）、各メーカ側パソコン（２）に回答入力画面が表示される。
【００５０】
そして、回答入力画面において各医薬関連品メーカ側により回答すべき医薬関連品情報が入力され、各メーカ側パソコン（２）からサーバ（３）に対して医薬関連品情報が送信されると（Ｓ２３）、サーバ（３）の通信部（３２）がそれら医薬関連品情報を受信したあと、制御部（３１）がそれら医薬関連品情報を医薬関連品情報記憶部（３６）に記憶せしめる（Ｓ２４）。このとき、制御部（３１）は、図１５に示すような送信完了メールをメーカ側パソコン（２）に送信し、メーカ側パソコン（２）においてメール送信の完了が確認できるようにするのが好ましい。
【００５１】
また、前記サーバ（３）の制御部（３１）は、医薬関連品情報記憶部（３６）に記憶されている各医薬関連品メーカの多くの医薬関連品情報を図１６に示すようなメールに加工した上で、当該医薬関連品情報に対する質問をした医師側パソコン（１）にネットワークを介してメール送信すると（Ｓ２５）、それら医薬関連品情報が医師側パソコン（１）において受信され表示される（Ｓ２６）。
【００５２】
このあとは、図１６に示すメール画面において、医師が再度質問するために「このメールに対して返信する」ボタンがクリックされると、再度上記質問および回答が繰り返される。また、医師が質問に納得して「この質問を取り下げる」ボタンがクリックされると終了する。
【００５３】
このように本システムによれば、医師が医薬関連品に関して医薬関連品メーカに質問したい場合、本システムのサーバに質問情報を送信すれば、サーバにおいて各医師の質問情報に基づいて質問リストが作成され、不特定多数の各医薬関連品メーカの閲覧に供せしめることができる。そして、各医薬関連品メーカは当該質問リストを閲覧し、回答を希望する一ないし複数の質問情報を選択して回答することができる。このため、医師が一件の質問により多数の医薬関連品メーカから医薬関連品情報を効率的に収集することができる。
【００５４】
具体的には、医師が一件の質問を本システムに出すことにより、登録された多数の医薬関連品メーカから即座に医薬関連品情報の回答を収集することができる。このため、医師は今まで以上に論拠に基づいた正確な投薬を患者に対して行うことが可能となる。
【００５５】
また、インターネットなどのネットワークを利用するため、へき地の医師も都市部の医師同様に最新の医薬関連品情報を即座に入手することができ、患者の立場から見ても、最新の情報に基づいた投薬をへき地で受けることが可能となる。
【００５６】
また、本システム上で医薬関連品情報提供活動を行うため、実際に医師に訪問する手間が省け、医薬関連品メーカは非常に少ない人員とコストで日本全国の医師に対して的確な医薬関連品情報を提供することができ、より効率的な営業活動が可能となる。
【００５７】
また、医薬関連品メーカが医薬関連品情報を回答するに際して広告を添付するものとすれば、ただ質問に回答するだけではなく、新たな営業活動も付加して行うことができ、より一層効率的な営業活動が可能となる。
【００５８】
また、医薬関連品メーカは例えばパソコンの前に担当者が１人いれば、２４時間、しかも全国に対して医薬関連品情報の提供活動を行うことができ、夜間の救急患者に対する薬物治療をより確実なものとし、救命率の向上に画期的役割を果たすことが可能となる。
【００５９】
なお、この実施形態では、医師側およびメーカ側の情報端末装置としてパソコンを用いたが、ＰＤＡなどのその他の情報端末装置であってもよい。
【００６０】
また、医師側パソコン（１）およびメーカ側パソコン（２）とサーバ（３）との間の情報の送受信は直接行うものとしたが、メールサーバなどのその他のサーバが介在するものであってもよい。
【００６１】
また、本システムにおける課金については、特に限定されるものではないが、医師側の利用は無料とし、メーカ側が利用料を支払う形態が考えられる。この場合は、メーカ側の利用料の支払い方法としては、メーカ側が医薬関連品情報を送信する度に一通につきあらかじめ設定された料金を課金する方法や、月額利用料を一定額定めて１ユーザにつき毎月一定額を課金する方法などが挙げられる。
【産業上の利用可能性】
【００６２】
本発明は、各医薬関連品メーカが有する多くの医薬関連品に関する情報を各医師に提供する場合に適用される。
【図面の簡単な説明】
【００６３】
【図１】本実施形態に係る医薬関連品情報提供システムの構成概略図である。
【図２】図１のサーバのハードウェア構成を示す図である。
【図３】本システムにおけるユーザ登録の流れを示すフローチャートである。
【図４】本システムにおける質問および回答の流れを示すフローチャートである。
【図５】医師側のメインメニュー画面を示す図である。
【図６】医師側のユーザ登録画面を示す図である。
【図７】医師情報のデータベース構成を示す図である。
【図８】登録完了メール画面を示す図である。
【図９】メーカ側のメインメニュー画面を示す図である。
【図１０】メーカ側のユーザ登録画面を示す図である。
【図１１】質問入力画面を示す図である。
【図１２】質問受付完了メール画面を示す図である。
【図１３】質問リスト画面を示す図である。
【図１４】回答入力画面を示す図である。
【図１５】送信完了メール画面を示す図である。
【図１６】医薬関連品情報メール画面を示す図である。
【符号の説明】
【００６４】
１・・・医師側パソコン
２・・・メーカ側パソコン
３・・・サーバ
【図１】
2006195927.tif 000003
【図２】
2006195927.tif 000004
【図３】
2006195927.tif 000005
【図４】
2006195927.tif 000006
【図５】
2006195927.tif 000007
【図６】
2006195927.tif 000008
【図７】
2006195927.tif 000009
【図８】
2006195927.tif 000010
【図９】
2006195927.tif 000011
【図１０】
2006195927.tif 000012
【図１１】
2006195927.tif 000013
【図１２】
2006195927.tif 000014
【図１３】
2006195927.tif 000015
【図１４】
2006195927.tif 000016
【図１５】
2006195927.tif 000017
【図１６】
2006195927.tif 000018